(57)【要約】      （修正有）【課題】構造が簡単で、容易に設置でき、コストの低減を図ることができるとともに、地震の揺れ動きが生じても目地部の寸法分の揺れ動きを吸収することができる屋上用目地カバー装置を提供する。【解決手段】一方の建物３のパラペット４の上部に取付けられた水切りカバー１０と、目地部２を覆うように他方の建物３のパラペット４あるいは外壁面５に取付けられた山形状の目地カバー１５と、他方の建物３の外壁面５に所定間隔で固定された複数個のワイヤー付勢装置１６と、一端が前記目地カバー１５の側板の上部位置に固定されかつ他端がワイヤー付勢装置１６に付勢された複数個のワイヤー２０と、一端部が水切りカバー１０に固定され、他端部が目地カバー１５の側板に固定された防水シート２４と、防水シート２４に所定間隔で取付けられかつワイヤー２０に移動可能に吊り下げられる複数個の防水シート吊り下げ具２５とで屋上用目地カバー装置１を構成している。【選択図】図２
2010261161.tif 000002
【特許請求の範囲】
【請求項１】
目地部側が上方へ突出するように、少なくとも一方の建物のパラペットの上部に取付けられたほぼクランク状の水切りカバーと、この水切りカバーの上部を左右方向に移動可能で、前記目地部を覆うように他方の建物のパラペットあるいは他方の建物の外壁面に取付けられかつ側板を有する山形状あるいはクランク状の目地カバーと、前記水切りカバーの上部位置とほぼ同じ位置の前記他方の建物の外壁面に所定間隔で固定された複数個のワイヤー付勢装置と、一端が前記目地カバーの側板の上部位置に固定され、他端が前記水切りカバーの上部に設けたワイヤーガイドを通過して、前記ワイヤー付勢装置へそれぞれ所定の付勢力で付勢された複数個のワイヤーと、一端部が水切りカバーに防水可能に固定され、他端部が前記目地カバーの側板に防水可能に固定されかつ地震で水切りカバーと目地カバーの側板との間の寸法が広くなっても損傷しない幅寸法の防水シートと、前記水切りカバーと目地カバーの側板との間の寸法が狭くなっても、該目地カバーの側板の下部より防水シートが垂れ下がるのを防止できるように防水シートに所定間隔で取付けられかつ前記ワイヤーに移動可能に吊り下げられる複数個の防水シート吊り下げ具とで構成されていることを特徴とする屋上用目地カバー装置。
【請求項２】
複数個の防水シート吊り下げ具はワイヤーに移動可能に吊り下げられる吊り下げ具本体と、この吊り下げ具本体に防水シートを介して取付けられる防水シート支持パイプとで構成されていることを特徴とする請求項１記載の屋上用目地カバー装置。
【請求項３】
ワイヤー付勢装置は水切りカバーの上部位置とほぼ同じ位置の他方の建物の外壁面に所定間隔で固定されたコイルスプリングで巻き付け方向に付勢された巻取りドラムを用いて構成されたものであることを特徴とする請求項１記載の屋上用目地カバー装置。
【発明の詳細な説明】
【技術分野】
【０００１】
本発明は目地部を介して建てられた左右の建物の屋上部の目地部を覆う屋上用目地カバー装置に関する。
【背景技術】
【０００２】
従来の屋上用目地カバー装置は、目地カバーを支持するパラペットの上部に固定された水切りカバーと目地カバーの側板との間に伸縮するように複数個の支持バーに複数個の吊り下げ具を用いてＵ字状に曲げられた防水シートで覆って、目地部内への水の浸入を阻止している。
【０００３】
このように構成された屋上用目地カバー装置は目地部への水の浸入を防水シートで阻止することができるが、防水シートを複数個の支持バーと、この複数個の支持バーにスライド移動可能に取付けられた防水シートを所定間隔で吊り下げる複数個の吊り下げ具を用いているため、構造が複雑で、取付けに手数がかかり、コスト高になるという欠点があった。
また、複数個の支持バーが目地部の中央部へ突出するため、目地部の寸法分の左右の建物の揺れ動きを設定することができないという欠点があった。
【先行技術文献】
【特許文献】
【０００４】
【特許文献１】特許第３８１３８７８号
【発明の概要】
【発明が解決しようとする課題】
【０００５】
本発明は以上のような従来の欠点に鑑み、構造が簡単で、容易に設置でき、コストの低減を図ることができるとともに、地震の揺れ動きが生じても防水シートが外方へ垂れ下がって見苦しくなったり、損傷するのを効率よく阻止することができるとともに、目地部の寸法分の揺れ動きを吸収することができる屋上用目地カバー装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は目地部側が上方へ突出するように、少なくとも一方の建物のパラペットの上部に取付けられたほぼクランク状の水切りカバーと、この水切りカバーの上部を左右方向に移動可能で、前記目地部を覆うように他方の建物のパラペットあるいは他方の建物の外壁面に取付けられかつ側板を有する山形状あるいはクランク状の目地カバーと、前記水切りカバーの上部位置とほぼ同じ位置の前記他方の建物の外壁面に所定間隔で固定された複数個のワイヤー付勢装置と、一端が前記目地カバーの側板の上部位置に固定され、他端が前記水切りカバーの上部に設けたワイヤーガイドを通過して、前記ワイヤー付勢装置へそれぞれ所定の付勢力で付勢された複数個のワイヤーと、一端部が水切りカバーに防水可能に固定され、他端部が前記目地カバーの側板に防水可能に固定されかつ地震で水切りカバーと目地カバーの側板との間の寸法が広くなっても損傷しない幅寸法の防水シートと、前記水切りカバーと目地カバーの側板との間の寸法が狭くなっても、該目地カバーの側板の下部より防水シートが垂れ下がるのを防止できるように防水シートに所定間隔で取付けられかつ前記ワイヤーに移動可能に吊り下げられる複数個の防水シート吊り下げ具とで屋上用目地カバー装置を構成している。
【発明の効果】
【０００８】
以上の説明から明らかなように、本発明にあっては次に列挙する効果が得られる。
【０００９】
（１）目地部側が上方へ突出するように、少なくとも一方の建物のパラペットの上部に取付けられたほぼクランク状の水切りカバーと、この水切りカバーの上部を左右方向に移動可能で、前記目地部を覆うように他方の建物のパラペットあるいは他方の建物の外壁面に取付けられかつ側板を有する山形状あるいはクランク状の目地カバーと、前記水切りカバーの上部位置とほぼ同じ位置の前記他方の建物の外壁面に所定間隔で固定された複数個のワイヤー付勢装置と、一端が前記目地カバーの側板の上部位置に固定され、他端が前記水切りカバーの上部に設けたワイヤーガイドを通過して、前記ワイヤー付勢装置へそれぞれ所定の付勢力で付勢された複数個のワイヤーと、一端部が水切りカバーに防水可能に固定され、他端部が前記目地カバーの側板に防水可能に固定されかつ地震で水切りカバーと目地カバーの側板との間の寸法が広くなっても損傷しない幅寸法の防水シートと、前記水切りカバーと目地カバーの側板との間の寸法が狭くなっても、該目地カバーの側板の下部より防水シートが垂れ下がるのを防止できるように防水シートに所定間隔で取付けられかつ前記ワイヤーに移動可能に吊り下げられる複数個の防水シート吊り下げ具とで構成されているので、防水シートを所定の付勢力でワイヤーを付勢する複数個のワイヤー付勢装置で支持して、目地部には複数個のワイヤー付勢装置とワイヤーが位置するだけなので、左右の建物の目地部側の外壁面が当接する近傍位置までの揺れ動きを吸収することができる。
したがって、左右の建物の揺れ動きを阻止する、従来のような支持バーが不要で、コストの低減を図ることができる。
【００１０】
（２）前記（１）によって、地震の揺れ動きによって水切りカバーと目地カバーの側板との間の寸法が広くなったり狭くなっても、防水シートが伸縮してその揺れ動きを吸収するとともに、狭くなった場合でも防水シートの下端部は目地カバーの側板の下部より外方へ突出して、見苦しくなるのを確実に防止することができる。
【００１１】
（３）前記（１）によって、構造が簡単で、容易に設置することができる。
【００１２】
（４）請求項２も前記（１）〜（３）と同様な効果が得られるとともに、防水シートを複数個の防水シート吊り下げ具の防水シート支持パイプによって、きれいに波状に配置することができる。
【図面の簡単な説明】
【００１３】
【図１】本発明を実施するための第１の形態の一部破断平面図。
【図２】図1の２−２線に沿う断面図。
【図３】本発明を実施するための第１の形態の取付け金具の説明図。
【図４】本発明を実施するための第１の形態の水切りカバーの説明図。
【図５】本発明を実施するための第１の形態のワイヤー付勢装置の説明図。
【図６】本発明を実施するための第１の形態の防水シート吊り下げ具の説明図。
【図７】本発明を実施するための第１の形態の目地部が広くなる動作説明図。
【図８】本発明を実施するための第１の形態の目地部が狭くなる動作説明図。
【図９】左右の建物が異なる前後方向に揺れ動いた動作説明図。
【図１０】本発明を実施するための第２の形態の一部破断平面図。
【図１１】図１０の１１−１１線に沿う断面図。
【図１２】本発明を実施するための第２の形態の防水シート吊り下げ具の説明図。
【図１３】本発明を実施するための第３の形態の一部破断平面図。
【図１４】図１３の１４−１４線に沿う断面図。
【図１５】図１３の１５−１５線に沿う断面図。
【図１６】左右の建物が異なる前後方向へ揺れ動いた動作説明図。
【発明を実施するための形態】
【００１４】
以下、図面に示す本発明を実施するための形態により、本発明を詳細に説明する。
【００１５】
図１ないし図９に示す本発明を実施するための第１の形態において、１は目地部２を介して建てられた左右の建物３、３の、一方の建物３の屋上のパラペット４と他方の建物３の外壁面５との間の目地部を覆う本発明の屋上用目地カバー装置で、この屋上用目地カバー装置１は前記パラペット４の上部に所定間隔で複数本のタッピングビス６等の固定具によって固定された上面が、前記目地部側が順次高くなるように形成された複数個の取付け金具７と、この複数個の取付け金具７に固定された目地部側が上方へ突出する支持片８および、反目地部側が下方へ突出する水切り片９を有するほぼクランク状の水切りカバー１０と、この水切りカバー１０の上部を左右方向に移動可能で、前記目地部２を覆うように他方の建物３の外壁面５に所定間隔で後端部が複数本のタッピングビス１１等の固定具で固定され、先端部が前記水切りカバー１０の水切り片９の上部に位置する複数個の目地カバー支持金具１２と、この複数個の目地カバー支持金具１２に固定された後端部に上方へ突出取付け片１３が形成され、先端部に下方へ突出する側板１４を有するクランク状の目地カバー１５と、前記水切りカバー１０の上部位置と対応する部位の他方の建物３の外壁面５に所定間隔で固定された複数個のワイヤー付勢装置１６と、一端が前記目地カバー１５の側板１４の上部寄りの部位に固定され、他端部が前記水切りカバー１０の支持片８の上部に設けられたワイヤーガイド１７を通過して、前記ワイヤー付勢装置１６の常時巻取り方向にコイルスプリング１８で付勢された巻取りドラム１９に巻き付け固定された複数本のワイヤー２０と、一端部が前記水切りカバー１０に防水可能に取付け板を２１を用いて複数本のタッピングビス２２等の固定具で固定され、他端部が前記目地カバー１５の側板１４に防水可能に取付け板２３を用いて複数本のタッピングビス２２等の固定具で固定された、地震で水切りカバー１０と目地カバー１５の側板14との間の寸法が広くなっても損傷しない幅寸法の防水シート２４と、前記水切りカバー１０と前記目地カバー１５の側板１４との間の寸法が地震で狭くなっても、該目地カバー１５の側板１４の下部より前記防水シート２４の一部が垂れ下がるのを防止できるように、該防水シート２４に所定間隔で取付けられた防水シート２４を波形状にできる、前記ワイヤー２０にそれぞれ移動可能に取付けられた多数個の防水シート吊り下げ具２５と、前記目地カバー１５の後端部およびパラペット４と水切りカバー１０との間に充填された防水用シール剤２６、２６とで構成されている。
【００１６】
前記多数個の防水シート吊り下げ具２５はワイヤー２０を通すリング２７が形成され、該リング２７と一体形成された下端部を防水シート２４へ差し込むことができる軸２８とからなる防水シート吊り下げ具本体２９と、この防水シート吊り下げ具本体２９の軸２８の下端部と嵌合固定される防水シート支持パイプ３０と、この防水シート支持パイプ３０に支持される防水シート２４を押し圧する、前記防水シート吊り下げ具本体２９の軸２８の下部寄りの部位に取付けられたほぼ逆Ｕ字状のカバー片３１とで構成されている。  
【００１７】
上記構成の屋上用目地カバー装置１は、通常時は図１および図２に示すように左右の建物３、３間の目地部２は目地カバー１５で覆われているとともに、目地カバー１５の側板１４と水切りカバー１０との間は波形状に設けられた防水シート２４で目地部２へ雨水や風が入り込むのを阻止している。
地震で左右の建物３、３が、図７に示すように目地部２が広くなるように揺れ動くと、水切りカバー１０と目地カバー１５の側板１４との間の隙間が小さくなり、波形状に設けられた防水シート２４の波形が近接するように、該防水シート２４の多数個の防水シート吊り下げ具２５がワイヤー２０に沿って移動するが、下端部が目地カバー１５の側板１４の下端部よりパラペット４の内側へ垂れ下がるのを防止できる。
地震で左右の建物３、３が、図８に示すように目地部２が狭くなるように揺れ動くと、水切りカバー１０と目地カバー１５の側板１４との間の隙間が大きくなり、波形状に設けられた防水シート２４の波形が広くなるように、該防水シート２４の多数個の防水シート吊り下げ部２５がワイヤー２０に沿ってスライド移動し、その揺れ動きを吸収する。
地震で左右の建物３、３が、図９に示すように異なる前後方向に揺れ動くと、複数個のワイヤー付勢装置１６よりそれぞれワイヤー２０が引き出され、くの字状になるとともに、複数個のワイヤー２０に複数個の防水シート吊り下げ具２５に吊り下げられている波形状の防水シート２４とワイヤー２０の傾斜方向にズレて、その揺れ動きを吸収する。
すなわち、複数個のワイヤー付勢装置１６のワイヤー２０は正常時、左右の建物３、３が異なる左右方向に揺れ動き、目地部が狭くなったり、広くなる場合には引き出されることなく、防水シート２４の波形状の上部がほぼ水平状態に位置するように、ワイヤー２０をワイヤー付勢装置１６へ巻取った付勢状態を保っている。
左右の建物３、３が異なる前後方向に揺れ動くと、複数個のワイヤー２０はくの字状となるため、複数個のワイヤー付勢装置１６の巻取りドラム１９のコイルスプリング１８の付勢力に抗して引き出される。
[発明を実施するための異なる形態]
【００１８】
次に、図１０ないし図１６に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１９】
図１０ないし図１２に示す本発明を実施するための第２の形態において、前記本発明を実施するための第１の形態と主に異なる点は、防水シート２４を防水シート支持パイプに代え、防水シート吊り下げ具本体２９の軸２８の下端部と嵌合固定される半円弧状の嵌合片３２を用いた複数個の防水シート吊り下げ具２５Ａを用いた点で、このようの構成した屋上用目地カバー装置１Ａにしても、前記本発明を実施するための第１の形態と同様な作用効果が得られる。
【００２０】
図１３ないし図１６に示す本発明を実施するための第３の形態において、前記本発明を実施するための第１の形態と主に異なる点は、水切りカバー１０のワイヤーガイド１７と対応する他方の建物３の外壁面５にアイボルトを用いたワイヤーガイド３３を通過させたワイヤー２０の端部に付勢スプリング３４を接続して端部を外壁面５に固定した複数個のワイヤー付勢装置１６Ａを用いた点で、このように構成された屋上用目地装置１Ｂにしても、前記本発明を実施するための第１の実施の形態と同様な作用効果が得られる。
【産業上の利用可能性】
【００２１】
本発明は目地部を介して設けられた左右の建物間の屋上目地部を覆う屋上用目地カバー装置を製造する産業で利用される。
【符号の説明】
【００２２】
１、１Ａ、１Ｂ：屋上用目地カバー装置、
２：目地部、        ３：建物、
４：パラペット、        ５：外壁面、  
６：タッピングビス、    ７：取付け金具、
８：支持片、        ９：水切り片、
１０：水切りカバー、    １１：タッピングビス、
１２：目地カバー支持金具、  １３：突出取付け片、
１４：側板、        １５：目地カバー、
１６、１６Ａ：ワイヤー付勢装置、
１７：ワイヤーガイド、    １８：コイルスプリング、
１９：巻取りドラム、    ２０：ワイヤー、
２１：取付け板、      ２２：タッピングビス、
２３：取付け板、      ２４：防水シート、
２５、２５Ａ：防水シート吊り下げ具、
２６：防水用シール剤、    ２７：リング、
２８：軸、        
２９：防水シート吊り下げ具本体、
３０：防水シート支持パイプ、  ３１：カバー片、
３２：嵌合片、      ３３：ワイヤーガイド、
３４：付勢スプリング。
【図１】
2010261161.tif 000003
【図２】
2010261161.tif 000004
【図３】
2010261161.tif 000005
【図４】
2010261161.tif 000006
【図５】
2010261161.tif 000007
【図６】
2010261161.tif 000008
【図７】
2010261161.tif 000009
【図８】
2010261161.tif 000010
【図９】
2010261161.tif 000011
【図１０】
2010261161.tif 000012
【図１１】
2010261161.tif 000013
【図１２】
2010261161.tif 000014
【図１３】
2010261161.tif 000015
【図１４】
2010261161.tif 000016
【図１５】
2010261161.tif 000017
【図１６】
2010261161.tif 000018